(57)【要約】【課題】カラーディスプレイデバイスに対する駆動方法の提供。【解決手段】本発明は、高品質色状態を表示することができるカラーディスプレイデバイスを駆動するための駆動方法を対象とする。ディスプレイデバイスは、異なる光学特性を有する３タイプの色素粒子を含む、電気泳動流体を利用する。一実施形態では、第１のタイプの色素粒子は、負に帯電され、第２のタイプの色素粒子は、正に帯電される。一実施形態では、第１のタイプの色素粒子は、白色であって、第２のタイプの色素粒子は、黒色である。【選択図】図２
2019082731.tif 000002
【特許請求の範囲】
【請求項１】
明細書に記載された発明。
【発明の詳細な説明】
【技術分野】
【０００１】
本発明は、カラーディスプレイデバイスが高品質色状態を表示するための駆動方法を対象とする。
【背景技術】
【０００２】
カラーディスプレイを達成するために、多くの場合、色フィルタが使用される。最も一般的なアプローチは、赤、緑、および青色を表示するように、ピクセル化ディスプレイの黒／白色サブピクセルの上に色フィルタを追加することである。赤色が所望されるとき、表示される唯一の色が赤であるように、緑および青色サブピクセルが黒色状態に変えられる。青色が所望されるとき、表示される唯一の色が青であるように、緑および赤色サブピクセルが黒色状態に変えられる。緑色が所望されるとき、表示される唯一の色が緑であるように、赤および青色サブピクセルが黒色状態に変えられる。黒色状態が所望されるとき、３つ全てのサブピクセルが黒色状態に変えられる。白色状態が所望されるとき、３つのサブピクセルは、それぞれ、赤、緑、および青に変えられ、結果として、白色状態が視認者によって見られる。
【発明の概要】
【課題を解決するための手段】
【０００３】
そのような技法の最大の不利点は、サブピクセルのそれぞれが、所望の白色状態の約３分の１（１／３）の反射率を有するため、白色状態が極めて薄暗いことである。これを補うために、白色レベルが（ここで各サブピクセルがピクセルの面積のわずか４分の１である）赤、緑、または青色レベルを犠牲にして倍増されるように、黒色および白色状態のみを表示することができる、第４のサブピクセルが追加されてもよい。白色ピクセルから光を追加することによって、より明るい色を達成することができるが、これは、色を非常に薄く不飽和状態にさせる色域を犠牲にして達成される。３つのサブピクセルの色飽和を低減させることによって、類似結果を達成することができる。これらのアプローチを用いても、白色レベルは、通常、白黒ディスプレイのレベルの実質的に半分未満であり、十分に読みやすい白黒明度およびコントラストを必要とする電子書籍リーダまたはディスプレイ等のディスプレイデバイスのために許容できない選択にする。
【０００４】
本発明は、カラーディスプレイデバイスのための駆動方法を対象とする。
本発明は、例えば、以下の項目を提供する。
（項目１）
視認側の第１の表面と、非視認側の第２の表面と、共通電極とピクセル電極の層との間に狭入される電気泳動流体とを備える、電気泳動ディスプレイを駆動するための駆動方法であって、上記電気泳動流体は、第１のタイプの色素粒子と、第２のタイプの色素粒子と、第３のタイプの色素粒子とを備え、その全ては、溶媒または溶媒混合物中に分散され、
（ａ）３つのタイプの色素粒子は、相互と異なる光学特性を有し、
（ｂ）上記第１のタイプの色素粒子および上記第２のタイプの色素粒子は、反対電荷極性をもち、
（ｃ）上記第３のタイプの色素粒子は、上記第２のタイプの色素粒子と同一電荷極性を有するが、より低い強度であり、
上記方法は、
（ｉ）上記電気泳動ディスプレイ内のピクセルを上記第１のタイプの色素粒子の色状態または上記第２のタイプの色素粒子の色状態に駆動するステップと、
（ｉｉ）第１の時間期間にわたって、第１の駆動電圧を上記第１のタイプの色素粒子の色状態におけるピクセルに印加するステップであって、上記第１の駆動電圧は、上記第２のタイプの色素粒子と同一極性を有し、上記第１の時間期間は、上記ピクセルを上記第２のタイプの色素粒子の色状態に駆動するために十分に長くない、ステップ、または
第２の時間期間にわたって、第２の駆動電圧を上記第２のタイプの色素粒子の色状態におけるピクセルに印加するステップであって、上記第２の駆動電圧は、上記第１のタイプの色素粒子と同一極性を有し、上記第２の時間期間は、上記ピクセルを上記第１のタイプの色素粒子の色状態に駆動するために十分に長くない、ステップと、
（ｉｉｉ）振動波形を印加するステップと、
を含む、方法。
（項目２）
上記第１のタイプの色素粒子は、負に帯電され、上記第２のタイプの色素粒子は、正に帯電される、項目１に記載の方法。
（項目３）
上記３つのタイプの色素粒子は、異なる色を有する、項目１に記載の方法。
（項目４）
上記第１のタイプの色素粒子は、白色であり、上記第２のタイプの色素粒子は、黒色である、項目１に記載の方法。
（項目５）
上記第３のタイプの色素粒子は、非白色かつ非黒色である、項目１に記載の方法。
（項目６）
上記第３のタイプの色素粒子は、赤色である、項目１に記載の方法。
（項目７）
上記視認側において、上記第１のタイプの色素粒子と同一極性を有する駆動電圧を印加し、上記ピクセルを上記第１のタイプの色素粒子の色状態に駆動するステップをさらに含む、項目１に記載の方法。
（項目８）
上記視認側において、上記第２のタイプの色素粒子と同一極性を有する駆動電圧を印加し、上記ピクセルを上記第２のタイプの色素粒子の色状態に駆動するステップをさらに含む、項目１に記載の方法。
（項目９）
上記視認側において、上記第３のタイプの色素粒子と同一極性を有する駆動電圧を印加し、上記ピクセルを上記第３のタイプの色素粒子の色状態に駆動するステップをさらに含む、項目１に記載の方法。
【図面の簡単な説明】
【０００５】
【図１】図１は、本発明に適用可能な電気泳動ディスプレイ流体を描写する。
【図２】図２は、駆動方式の実施例を描写する略図である。
【図３】図３は、本発明の駆動方法を図示する。
【図４】図４は、本発明の代替駆動方法を図示する。
【発明を実施するための形態】
【０００６】
本デバイスは、図１に示される電気泳動流体を利用する。流体は、誘電溶媒または溶媒混合物中に分散させられる、３タイプの色素粒子を含む。例証を容易にするために、３タイプの色素粒子は、白色粒子（１１）、黒色粒子（１２）、および着色粒子（１３）と称され得る。着色粒子は、非白色および非黒色である。
【０００７】
しかしながら、本発明の範囲は、３タイプの色素粒子が視覚的に区別可能な色である限り、任意の色の色素粒子を広く包含することが理解される。したがって、３タイプの色素粒子はまた、第１のタイプの色素粒子、第２のタイプの色素粒子、および第３のタイプの色素粒子とも称され得る。
【０００８】
白色粒子（１１）については、それらは、ＴｉＯ２、ＺｒＯ２、ＺｎＯ、Ａｌ２Ｏ３、Ｓｂ２Ｏ３、ＢａＳＯ４、ＰｂＳＯ４、または同等物等の無機色素から形成されてもよい。
【０００９】
黒色粒子（１２）については、それらは、ＣＩ色素黒色２６または２８、もしくは同等物（例えば、マンガンフェライトブラックスピネルまたは銅クロマイトブラックスピネル）、またはカーボンブラックから形成されてもよい。
【００１０】
第３のタイプの粒子は、赤、緑、青、マゼンタ、シアン、または黄色等の色であってもよい。このタイプの粒子の色素は、ＣＩ色素ＰＲ２５４、ＰＲ１２２、ＰＲ１４９、ＰＧ３６、ＰＧ５８、ＰＧ７、ＰＢ２８、ＰＢ１５：３、ＰＹ１３８、ＰＹ１５０、ＰＹ１５５、またはＰＹ２０を含んでもよいが、それらに限定されない。これらは、色指数ハンドブック「Ｎｅｗ  Ｐｉｇｍｅｎｔ  Ａｐｐｌｉｃａｔｉｏｎ  Ｔｅｃｈｎｏｌｏｇｙ」（ＣＭＣ  Ｐｕｂｌｉｓｈｉｎｇ  Ｃｏ，  Ｌｔｄ，  １９８６）および「Ｐｒｉｎｔｉｎｇ  Ｉｎｋ  Ｔｅｃｈｎｏｌｏｇｙ」（ＣＭＣ  Ｐｕｂｌｉｓｈｉｎｇ  Ｃｏ，  Ｌｔｄ，  １９８４）で説明される、一般的に使用されている有機色素である。具体的実施例は、Ｃｌａｒｉａｎｔ  Ｈｏｓｔａｐｅｒｍ  Ｒｅｄ  Ｄ３Ｇ  ７０−ＥＤＳ、Ｈｏｓｔａｐｅｒｍ  Ｐｉｎｋ  Ｅ−ＥＤＳ、ＰＶ  ｆａｓｔ  ｒｅｄ  Ｄ３Ｇ、Ｈｏｓｔａｐｅｒｍ  ｒｅｄ  Ｄ３Ｇ  ７０，Ｈｏｓｔａｐｅｒｍ  Ｂｌｕｅ  Ｂ２Ｇ−ＥＤＳ、Ｈｏｓｔａｐｅｒｍ  Ｙｅｌｌｏｗ  Ｈ４Ｇ−ＥＤＳ、Ｈｏｓｔａｐｅｒｍ  Ｇｒｅｅｎ  ＧＮＸ，ＢＡＳＦ  Ｉｒｇａｚｉｎｅ  ｒｅｄ  Ｌ  ３６３０、Ｃｉｎｑｕａｓｉａ  Ｒｅｄ  Ｌ  ４１００  ＨＤ、およびＩｒｇａｚｉｎ  Ｒｅｄ  Ｌ  ３６６０  ＨＤ、Ｓｕｎ  Ｃｈｅｍｉｃａｌフタロシアニンブルー、フタロシアニングリーン、ダイアリライドイエロー、またはダイアリライドＡＡＯＴイエローを含む。
【００１１】
色に加えて、第１、第２、および第３のタイプの粒子は、光学透過、反射率、発光、または機械読取のために意図されたディスプレイの場合、可視範囲外の電磁波長の反射率の変化という意味の疑似色等の他の明確な光学特性を有してもよい。
【００１２】
３タイプの色素粒子が分散させられる溶媒は、透明かつ無色であり得る。これは、好ましくは、高い粒子移動度のために、低い粘度と、約２〜約３０、好ましくは、約２〜約１５の範囲内の誘電率とを有する。好適な誘電溶媒の実施例は、アイソパー、デカヒドロナフタレン（ＤＥＣＡＬＩＮ）、５−エチリデン−２−ノルボルネン、脂肪油、パラフィン油、シリコン流体等の炭化水素、トルエン、キシレン、フェニルキシリルエタン、ドデシルベンゼン、またはアルキルナフタレン等の芳香族炭化水素、ペルフルオロデカリン、ペルフルオロトルエン、ペルフルオロキシレン、ジクロロベンゾトリフルオリド、３，４，５−トリクロロベンゾトリフルオリド、クロロペンタフルオロ−ベンゼン、ジクロロノナン、またはペンタクロロベンゼン等のハロゲン化溶媒、および３Ｍ  Ｃｏｍｐａｎｙ（Ｓｔ．  Ｐａｕｌ  ＭＮ）からのＦＣ−４３、ＦＣ−７０、またはＦＣ−５０６０等のペルフルオロ化溶媒、ＴＣＩ  Ａｍｅｒｉｃａ（Ｐｏｒｔｌａｎｄ，  Ｏｒｅｇｏｎ）からのポリ（ペルフルオロプロピレンオキシド）等のポリマーを含有する低分子量ハロゲン、Ｈａｌｏｃａｒｂｏｎ  Ｐｒｏｄｕｃｔ  Ｃｏｒｐ．（Ｒｉｖｅｒ  Ｅｄｇｅ，  ＮＪ）からのＨａｌｏｃａｒｂｏｎ  Ｏｉｌｓ等のポリ（クロロトリフルオロエチレン）、ＡｕｓｉｍｏｎｔからのＧａｉｄｅｎまたはＤｕＰｏｎｔ（Ｄｅｌａｗａｒｅ）からのＫｒｙｔｏｘ  ＯｉｌｓおよびＧｒｅａｓｅｓ  Ｋ−Ｆｌｕｉｄ  Ｓｅｒｉｅｓ等のペルフルオロポリアルキルエーテル、Ｄｏｗ−ｃｏｒｎｉｎｇ（ＤＣ−２００）からのポリジメチルシロキサン系シリコーン油を含む。
【００１３】
本発明のディスプレイ流体を利用するディスプレイ層は、２つの表面、すなわち、視認側の第１の表面（１６）と、第１の表面（１６）の反対側の第２の表面（１７）とを有する。したがって、第２の表面は、非視認側にある。「視認側」という用語は、画像が視認される側面を指す。
【００１４】
ディスプレイ流体は、２つの表面の間に挟持される。第１の表面（１６）側には、ディスプレイ層の最上部全体を覆って広がっている透明電極層（例えば、ＩＴＯ）である共通電極（１４）がある。第２の表面（１７）側には、複数のピクセル電極（１５ａ）を備える、電極層（１５）がある。
【００１５】
ディスプレイ流体は、ディスプレイセルの中に充填される。ディスプレイセルは、ピクセル電極と整合させられる場合もあり、または整合させられない場合もある。「ディスプレイセル」という用語は、電気泳動流体で充填されるマイクロコンテナを指す。「ディスプレイセル」の実施例は、米国特許第６，９３０，８１８号で説明されるようなカップ様マイクロセル、および米国特許第５，９３０，０２６号で説明されるようなマイクロカプセルを含んでもよい。マイクロコンテナは、全て本願の範囲内である、任意の形状またはサイズであってもよい。
【００１６】
ピクセル電極に対応する領域は、ピクセル（またはサブピクセル）と称され得る。ピクセル電極に対応する領域の駆動は、共通電極とピクセル電極との間に電圧電位差（または駆動電圧もしくは電場として知られている）を印加することによって達成される。
【００１７】
ピクセル電極は、薄膜トランジスタ（ＴＦＴ）バックプレーンを用いたアクティブマトリクス駆動システム、または電極が所望の機能を果たす限り、他のタイプの電極アドレッシングであってもよい。
【００１８】
２本の垂直な点線の間の空間は、ピクセル（またはサブピクセル）を表す。簡潔にするために、「ピクセル」が駆動方法において参照されるとき、本用語はまた、「サブピクセル」も包含する。
【００１９】
３タイプの色素粒子のうちの２つは、反対電荷極性をもち、第３のタイプの色素粒子は、わずかに帯電している。「わずかに帯電している」または「より低い電荷強度」という用語は、より強く帯電した粒子の電荷レベルの約５０％未満、好ましくは、約５％〜約３０％である、粒子の電荷レベルを指すことを意図している。一実施形態では、電荷強度は、ゼータ電位に関して測定されてもよい。一実施形態では、ゼータ電位は、ＣＳＰＵ−１００信号処理ユニットを伴うＣｏｌｌｏｉｄａｌ  Ｄｙｎａｍｉｃｓ  ＡｃｏｕｓｔｏＳｉｚｅｒ  ＩＩＭ、ＥＳＡ  ＥＮ＃  Ａｔｔｎフロースルーセル（Ｋ：１２７）によって判定される。サンプルで使用される溶媒の密度、溶媒の誘電率、溶媒中の音速、溶媒の粘度等の計器定数は、全て試験温度（２５℃）で試験前に入力される。色素サンプルは、（通常、１２個未満の炭素原子を有する炭化水素流体である）溶媒中に分散させられ、５〜１０重量％に希釈される。サンプルはまた、電荷制御剤対粒子の１：１０の重量比を伴う、電荷制御剤（Ｂｅｒｋｓｈｉｒｅ  Ｈａｔｈａｗａｙの子会社であるＬｕｂｒｉｚｏｌ  Ｃｏｒｐｏｒａｔｉｏｎから入手可能であるＳｏｌｓｐｅｒｓｅ  １７０００（Ｒ）、「Ｓｏｌｓｐｅｒｓｅ」は登録商標である）も含有する。希釈サンプルの質量が判定され、次いで、サンプルがゼータ電位の判定のためにフロースルーセルの中へ装填される。
【００２０】
例えば、黒色粒子が正に帯電され、白色粒子が負に帯電される場合には、着色色素粒子は、わずかに帯電し得る。換言すると、本実施例では、黒色および白色粒子がもつ電荷レベルは、着色粒子がもつ電荷レベルより高い。
【００２１】
加えて、わずかな電荷をもつ着色粒子は、他の２タイプのより強く帯電した粒子のうちのいずれか１つがもつ電荷極性と同一である、電荷極性を有する。
【００２２】
３つのタイプの色素粒子のうち、若干帯電される、１つのタイプの粒子は、好ましくは、より大きいサイズを有し得ることに留意されたい。
【００２３】
加えて、本願との関連で、高い駆動電圧（ＶＨ１またはＶＨ２）は、１つの極限色状態から別の極限色状態にピクセルを駆動するために十分である駆動電圧として定義される。第１および第２のタイプの色素粒子が、より高く帯電した粒子である場合には、高い駆動電圧（ＶＨ１またはＶＨ２）は、第１のタイプの色素粒子の色状態から第２のタイプの色素粒子の色状態に、または逆も同様に、ピクセルを駆動するために十分である駆動電圧を指す。例えば、高い駆動電圧ＶＨ１は、適切な時間期間にわたって印加されると、第１のタイプの色素粒子の色状態から第２のタイプの色素粒子の色状態にピクセルを駆動するために十分である駆動電圧を指し、ＶＨ２は、適切な時間期間にわたって印加されると、第２のタイプの色素粒子の色状態から第１のタイプの色素粒子の色状態にピクセルを駆動するために十分である駆動電圧を指す。
【００２４】
以下は、上記で説明されるような電気泳動流体によって、どのようにして異なる色状態が表示され得るかという駆動方式を図示する、実施例である。
【実施例】
【００２５】
本実施例は、図２で実証される。白色色素粒子（２１）が、負に帯電される一方で、黒色色素粒子（２２）は、正に帯電され、両方のタイプの色素粒子は、着色粒子（２３）より小さくあり得る。
【００２６】
着色粒子（２３）は、黒色粒子と同一の電荷極性をもつが、わずかに帯電している。結果として、黒色粒子は、ある駆動電圧下で着色粒子（２３）より速く移動する。
【００２７】
図２ａでは、印加された駆動電圧は、＋１５Ｖ（すなわち、ＶＨ１）である。この場合、白色粒子（２１）は、ピクセル電極（２５）の付近またはそこにあるように移動し、黒色粒子（２２）および着色粒子（２３）は、共通電極（２４）の付近またはそこにあるように移動する。結果として、黒色が視認側で見られる。着色粒子（２３）は、視認側における共通電極（２４）に向かって移動するが、しかしながら、それらのより低い電荷強度およびより大きいサイズにより、黒色粒子より遅く移動する。
【００２８】
図２ｂでは、−１５Ｖ（すなわち、ＶＨ２）の駆動電圧が印加されるとき、白色粒子（２１）は、視認側における共通電極（２４）の付近またはそこにあるように移動し、黒色粒子および着色粒子は、ピクセル電極（２５）の付近またはそこにあるように移動する。結果として、白色が視認側で見られる。
【００２９】
ＶＨ１およびＶＨ２は、反対極性を有し、かつ同一の振幅または異なる振幅を有することが留意される。図２に示される実施例では、ＶＨ１は、正（黒色粒子と同一の極性）であり、ＶＨ２は、負（白色粒子と同一の極性）である。
【００３０】
図２ｃでは、着色粒子を視認側に駆動するために十分であり、着色粒子と同一の極性を有する、低い電圧（例えば、＋５Ｖ）が印加されるとき、白色粒子は、下向きに押動され、着色粒子は、視認側に到達するように共通電極（２４）に向かって上方に移動する。黒色粒子は、２タイプの色素粒子が接触するときに、２つのより強く逆帯電した粒子、すなわち、黒色粒子および白色粒子を相互から分離するために十分ではない低い駆動電圧により、視認側に移動することができない。
【００３１】
３つの色状態のそれぞれの品質に影響を及ぼし得る、２つの問題が存在し得る。
【００３２】
問題のうちの１つは、黒色および白色状態の色にじみである。着色粒子が赤色である場合、白色状態は、白色粒子から良好に分離しなかった赤色粒子から生じる、赤色の色にじみ（すなわち、高ａ＊値）を有することに悩まされ得る。白色および赤色粒子は、反対電荷極性をもつが、白色状態において視認側に示される少量の赤色粒子は、赤色の色にじみを生じさせ得、これは、視認者に不快である。
【００３３】
黒色状態もまた、赤色の色にじみに悩まされる。黒色および赤色粒子は、同一電荷極性をもつが、異なるレベルの電荷強度を伴う。より強く帯電された黒色粒子は、より弱く帯電される赤色粒子より高速に移動し、赤色の色にじみを伴わずに、良好な黒色状態を示すことが予期され得るが、実際は、赤色の色にじみは、回避が困難である。
【００３４】
第２の問題は、異なる色状態から同一色状態に駆動されるピクセルによって生じ、前の状態が異なる色であるため、結果として生じる色状態が、多くの場合、Ｌ＊の差異（すなわち、ΔＬ＊）および／またはａ＊の差異（すなわち、Δａ＊）を示す、ゴースト現象である。
【００３５】
一実施例では、２つのピクセル群は、黒色状態に並行して駆動される。白色状態から黒色状態に駆動される第１のピクセル群は、１５のＬ＊を示し得、黒色状態から最終黒色状態に駆動される他のピクセル群は、１０のＬ＊を示し得る。この場合、最終黒色状態は、５のΔＬ＊を有するであろう。
【００３６】
図２に示されるような３つの色系の別の実施例では、３つのピクセル群が、黒色状態に並行して駆動される。赤色から黒色状態に駆動される第１のピクセル群は、１７のＬ＊および７のａ＊値を示し得る（ここでの高ａ＊値はまた、色にじみを示す）。黒色状態から最終黒色状態に駆動される第２のピクセル群は、１０のＬ＊および１のａ＊値を示し得る。白色状態から最終黒色状態に駆動される第３のピクセル群は、１５のＬ＊および３のａ＊を示し得る。この場合、最も深刻なゴーストは、７であるΔＬ＊および６であるΔａ＊から生じる。
【００３７】
本発明者らは、そこで、両方の問題における改良を提供することができる、駆動方法を見出した。言い換えると、本駆動方法は、色にじみ（すなわち、黒色および／または白色状態のａ＊値を低下させる）だけではなく、また、ゴースト（すなわち、ΔＬ＊およびΔａ＊を低下させる）も低減／排除することができる。
【００３８】
図３および４は、本発明の駆動方法を図示する。本方法はそれぞれまた、ピクセルを所望の色状態に駆動することに先立った「リセット」または「事前調整」とも見なされ得る。
【００３９】
図３における波形は、３つの部分、すなわち、（ｉ）白色に駆動することと、（ｉｉ）白色状態から黒色状態に駆動し、グレー状態をもたらすために十分に長くない、短時間期間ｔ１にわたって、黒色粒子と同一極性を有する駆動電圧（ＶＨ１、例えば、＋１５Ｖ）を印加することと、（ｉｉｉ）振動させることとを含む。
【００４０】
図４における波形は、３つの部分、すなわち、（ｉ）黒色に駆動することと、（ｉｉ）黒色状態から白色状態に駆動し、グレー状態をもたらすために十分に長くない、短時間期間ｔ２にわたって、白色粒子と同一極性を有する駆動電圧（ＶＨ２、例えば、−１５Ｖ）を印加することと、（ｉｉｉ）振動させることとを含む。
【００４１】
ｔ１またはｔ２の長さは、駆動される最終色状態（図３または４のリセットおよび事前調整波形後）だけではなく、また、最終色状態の所望の光学性能（例えば、ａ＊、ΔＬ＊、およびΔａ＊）にも依存するであろう。例えば、図３の波形内のｔ１が４０ｍｓｅｃであるとき、ゴーストは最も少なく、ピクセルは、赤色、黒色、または白色から駆動されるかどうかにかかわらず、赤色状態に駆動される。同様に、ｔ１が６０ｍｓｅｃであるとき、ゴーストは最も少なく、ピクセルは、赤色、黒色、または白色から駆動されるかどうかにかかわらず、黒色状態に駆動される。
【００４２】
「ｍｓｅｃ」という表記は、ミリ秒を表す。
【００４３】
振動波形は、多くのサイクルにわたって一対の反対駆動パルスを繰り返すことから成る。例えば、振動波形は、２０ミリ秒間の＋１５Ｖパルス、および２０ミリ秒間の−１５Ｖパルスから成ってもよく、そのような一対のパルスは、５０回繰り返される。そのような振動波形の合計時間は、２０００ミリ秒になるであろう。
【００４４】
振動波形内の駆動パルスのそれぞれは、完全黒色状態から完全白色状態、または逆も同様に、駆動するために必要とされる駆動時間の半分を超えずに印加される。例えば、完全黒色状態から完全白色状態、または逆も同様に、ピクセルを駆動するために３００ミリ秒かかる場合、振動波形は、それぞれ多くても１５０ミリ秒にわたって印加される、正および負パルスから成ってもよい。実践では、パルスは、より短いことが好ましい。
【００４５】
図３および４において、振動波形が短縮される（すなわち、パルスの数が実際の数より少ない）ことに留意されたい。
【００４６】
振動が完了した後、３つのタイプの粒子は、ディスプレイ流体中で混合状態にあるはずである。
【００４７】
図３または４の本「リセット」または「事前調整」が完了した後、ピクセルは、次いで、所望の色状態（例えば、黒色、赤色、または白色）に駆動される。例えば、正のパルスが、ピクセルに印加され、黒色に駆動してもよく、負のパルスが、ピクセルに印加され、白色に駆動してもよく、または負のパルスに続いて、より低い振幅の正のパルスが、ピクセルに印加され、赤色に駆動してもよい。
【００４８】
本発明の「リセット」または「事前調整」の有無による駆動方法を比較すると、本発明の「リセット」または「事前調整」を伴う方法は、同一レベルの光学性能（ゴーストを含む）を達成する際、より短い波形時間の付加的利点を有する。
【００４９】
本発明の駆動方法は、以下のように要約されることができる。
視認側の第１の表面と、非視認側の第２の表面と、流体が共通電極とピクセル電極の層との間で挟持され、全て溶媒または溶媒混合物中に分散させられる、第１のタイプの色素粒子、第２のタイプの色素粒子、および第３のタイプの色素粒子を含む、電気泳動流体とを備える、電気泳動ディスプレイのための駆動方法であって、
（ａ）３タイプの色素粒子は、相互と異なる光学特性を有し、
（ｂ）第１のタイプの色素粒子および第２のタイプの色素粒子は、反対電荷極性をもち、
（ｃ）第３のタイプの色素粒子は、第２のタイプの色素粒子と同一の電荷極性を有するが、より低い強度にあり、
その方法は、以下のステップ、すなわち、
（ｉ）電気泳動ディスプレイ内のピクセルを第１のタイプの色素粒子の色状態または第２のタイプの色素粒子の色状態に駆動するステップと、
（ｉｉ）第１の時間期間にわたって、第１の駆動電圧を第１のタイプの色素粒子の色状態におけるピクセルに印加するステップであって、駆動電圧は、第２のタイプの色素粒子と同一極性を有し、第１の時間期間は、ピクセルを第２のタイプの色素粒子の色状態に駆動するために十分に長くない、ステップ、または
第２の時間期間にわたって、第２の駆動電圧を第２のタイプの色素粒子の色状態におけるピクセルに印加するステップであって、駆動電圧は、第１のタイプの色素粒子と同一極性を有し、第２の時間期間は、ピクセルを第１のタイプの色素粒子の色状態に駆動するために十分に長くない、ステップと、
（ｉｉｉ）振動波形を印加するステップと、
を含む。
【００５０】
一実施形態では、第１のタイプの色素粒子は、負に帯電され、第２のタイプの色素粒子は、正に帯電される。
【００５１】
一実施形態では、第１のタイプの色素粒子は、白色であって、第２のタイプの色素粒子は、黒色である。
【００５２】
一実施形態では、第３のタイプの色素粒子は、赤色である。
【００５３】
本発明は、その具体的実施形態を参照して説明されているが、本発明の範囲から逸脱することなく、種々の変更が行われ得、均等物が置換され得ることが、当業者によって理解されるべきである。加えて、特定の状況、材料、組成物、プロセス、１つまたは複数のプロセスステップを、本発明の目的および範囲に適合させるように、多くの修正が行われ得る。全てのそのような修正は、本明細書に添付される請求項の範囲内であることを意図している。
【図１】
2019082731.tif 000003
【図２】
2019082731.tif 000004
【図３】
2019082731.tif 000005
【図４】
2019082731.tif 000006
【外国語明細書】
2019082731000001.pdf